(57)【特許請求の範囲】
【請求項１】
あらかじめ定められた複数の周波数帯域から選択された一の周波数帯域の電波で通信する通信部と、
コンテンツを示す情報及び該コンテンツを受信可能なコンテンツ周波数帯域を示すチャンネルが対応づけられた対応情報を記憶する記憶部と、
前記通信部で通信する一の周波数帯域及び前記コンテンツ周波数帯域の離隔量に基づき、前記記憶部に記憶された対応情報の中からコンテンツ周波数帯域を示すチャンネルを選択する選択部と、
該選択部で選択したチャンネルにより前記コンテンツを受信する受信部と
を備える通信装置。
【請求項２】
前記受信部の起動を検知する検知部と、
該検知部が前記起動を検知した場合、前記対応情報に基づき前記コンテンツ周波数帯域の受信品質を測定する測定部とを備え、
前記選択部は前記測定部が測定した受信品質に基づきコンテンツ周波数帯域を示すチャンネルを選択する
請求項１に記載の通信装置。
【請求項３】
同一のコンテンツを受信可能なコンテンツ周波数帯域が複数あるか否かを判定する判定部と、
前記判定部が同一のコンテンツを受信可能なコンテンツ周波数帯域が複数あると判定した場合、前記選択部は、前記通信部で通信する周波数帯域に対して所定の帯域以上離れた周波数帯域を示すチャンネルを選択する
請求項１又は請求項２に記載の通信装置。
【請求項４】
前記対応情報にはコンテンツを受信可能な受信地域が対応づけられており、
自身の位置を特定するための位置情報をサーバコンピュータへ送信する送信部と、
前記受信部は、前記位置情報により特定される位置を含む受信地域に対応づけられた対応情報を前記サーバコンピュータから受信する
請求項１から請求項３のいずれか１つに記載の通信装置。
【請求項５】
前記受信部が受信した一のコンテンツ周波数帯域における電波の受信品質が所定の閾値以下であるか否かを判定する閾値判定部を備え、
該閾値判定部が受信した一のコンテンツ周波数帯域における電波の受信品質が所定の閾値以下であると判定した場合、前記送信部が前記サーバコンピュータに前記位置情報を送信する
請求項４に記載の通信装置。
【請求項６】
前記受信部は前記位置情報を受信し、
前記位置情報により特定される位置が所定の範囲内であるか否か、又は前記受信部で受信する位置情報が変化したか否かを判定する範囲判定部とを備え、
前記範囲判定部が前記位置が前記所定の範囲内でないか、又は前記受信部で受信する位置情報が変化したと判定した場合、前記送信部が前記サーバコンピュータに前記位置情報を送信する
請求項４に記載の通信装置。
【請求項７】
前記受信部は複数の受信部を備え、
一の受信部が前記対応情報に基づいて一のコンテンツ周波数帯域で一のコンテンツを受信している場合、他の受信部は前記対応情報に基づいて他のコンテンツ周波数帯域で他のコンテンツを受信する請求項１から請求項６のいずれか１つに記載の通信装置。
【請求項８】
あらかじめ定められた複数の周波数帯域から選択された一の周波数帯域の電波で通信し、
コンテンツを示す情報及び該コンテンツを受信可能なコンテンツ周波数帯域を示すチャンネルが対応づけられた対応情報を記憶し、
通信する一の周波数帯域及び前記コンテンツ周波数帯域の離隔量に基づき、記憶部に記憶された対応情報の中からコンテンツ周波数帯域を示すチャンネルを選択し、
選択したチャンネルにより前記コンテンツを受信する
処理を通信装置に実行させるプログラム。
【請求項９】
あらかじめ定められた複数の周波数帯域から選択された一の周波数帯域の電波で通信し、
コンテンツを示す情報及び該コンテンツを受信可能なコンテンツ周波数帯域を示すチャンネルが対応づけられた対応情報を記憶し、
通信する一の周波数帯域及び前記コンテンツ周波数帯域の離隔量に基づき、記憶部に記憶された対応情報の中からコンテンツ周波数帯域を示すチャンネルを選択し、
選択したチャンネルにより前記コンテンツを受信する
情報処理方法。
【発明の詳細な説明】
【技術分野】
【０００１】
本発明は、一又は複数の周波数帯域の電波で通信する通信装置等に関する。
【背景技術】
【０００２】
車両に複数の無線通信機能を実装するにあたり、アンテナを共用して、それぞれの機能の動作を周波数または時間で分けることにより、互いの干渉を防止する車載通信装置が開示されている（例えば、特許文献１）。
【先行技術文献】
【特許文献】
【０００３】
【特許文献１】特開２０１０−５６９８０号公報
【発明の概要】
【発明が解決しようとする課題】
【０００４】
ところで、近年のスマートフォン等の通信装置では、地上波デジタル放送の電波を一のアンテナで受信し、放送番組等のコンテンツを再生する機能が搭載されている。しかし地上波デジタル放送の電波の周波数帯域は他のアンテナで通信するＬＴＥ（Long Term Evolution）等の周波数帯域に近いため、干渉が発生し、コンテンツの視聴が難しくなる場合がある。特許文献１に記載の技術では複数の機能で共通のアンテナを使用するため、複数のアンテナを用いて地上波デジタル放送を受信する通信装置に利用することが難しい。
【０００５】
一つの側面では、通信で使用している周波数帯域の影響を受け難いコンテンツを選択することを目的とする。
【課題を解決するための手段】
【０００６】
一態様の通信装置は、あらかじめ定められた複数の周波数帯域から選択された一の周波数帯域の電波で通信する通信部と、コンテンツを示す情報及び該コンテンツを受信可能なコンテンツ周波数帯域を示すチャンネルが対応づけられた対応情報を記憶する記憶部と、前記通信部で通信する一の周波数帯域及び前記コンテンツ周波数帯域の離隔量に基づき、前記記憶部に記憶された対応情報の中からコンテンツ周波数帯域を示すチャンネルを選択する選択部と、該選択部で選択したチャンネルにより前記コンテンツを受信する受信部とを備える。
【発明の効果】
【０００７】
一態様によれば、通信で使用している周波数帯域の影響を受け難いコンテンツを選択することができる。
【図面の簡単な説明】
【０００８】
【図１】情報処理システムの概要を示す模式図である。
【図２】通信装置のハードウェア群を示すブロック図である。
【図３】番組表ＤＢに格納されているデータの一例を示す図である。
【図４】サーバのハードウェア群を示すブロック図である。
【図５】カバー地域ＤＢ及び対応ＤＢ等に格納されているデータの一例を示す図である。
【図６】情報処理システムの処理手順を示したフローチャートである。
【図７】情報処理システムの処理手順を示したフローチャートである。
【図８】情報処理システムを示すフローチャートである。
【図９】情報処理システムを示すフローチャートである。
【図１０】情報処理システムを示すフローチャートである。
【図１１】通信装置のハードウェア群を示すブロック図である。
【図１２】情報処理システムを示すフローチャートである。
【図１３】情報処理システムを示すフローチャートである。
【発明を実施するための形態】
【０００９】
実施の形態１
以下本実施の形態を、図面を参照して説明する。図１は、情報処理システムの概要を示す模式図である。以下では本実施形態における情報処理システムの概要について説明する。情報処理システムは、通信装置１と、電波塔２と、通信機器３と、サーバコンピュータ（以下、サーバとする）４とを備える。電波塔２Ａ、２Ｂ、…は以下場合により電波塔２で代表する。通信装置１、通信機器３及びサーバ４はＬＡＮ（Local Area Network）、インターネット又は携帯電話網等の通信網Ｎを介して接続されている。
【００１０】
電波塔２は、地上波デジタル放送等のコンテンツを中継する。コンテンツとは例えば、放送番組又は動画等である。地上波デジタル放送では、複数のチャンネルを利用して複数のコンテンツが同時に放送されている。各チャンネルには、それぞれ使用する電波の帯域が割り当てられている。電波塔２は放送局から受信したコンテンツを通信装置１へ任意のコンテンツ周波数帯域の電波で送信している。
【００１１】
通信機器３Ａ、３Ｂ、３Ｃ…は以下場合により通信機器３で代表する。通信機器３は例えば無線基地局である。通信機器３は固有のセルＩＤを外部へ報知し、通信装置１は報知されたセルＩＤを通信機器３から受信している。セルＩＤとは通信機器３を識別するための識別情報であり、この識別情報を通信装置１の位置を特定するための位置情報として用いることでサーバ４は通信装置１の位置を特定することができる。
【００１２】
サーバ４はコンテンツ及びコンテンツを受信可能なコンテンツ周波数帯域を対応づけた対応情報を通信装置１へ送信するための装置であり、例えばサーバコンピュータ又はプラットフォーム等である。対応情報とは例えばチャンネルとコンテンツとを対応づけた番組表である。以下、本実施形態における対応情報は番組表であるとして説明する。なお本実施形態の番組表のチャンネルにはコンテンツ周波数帯域が予め対応づけられており、以下場合によりコンテンツ周波数帯域をチャンネルとする。以下、本実施形態におけるサーバ４はサーバコンピュータであるとして説明する。サーバ４は通信装置１からセルＩＤを受信し、受信したセルＩＤに基づいて通信装置１の位置を特定する。サーバ４は特定した位置に基づいて対応情報を通信装置１へ送信する。
【００１３】
通信装置１は電波塔２からコンテンツを受信し、かつＬＴＥの周波数帯域７００ＭＨｚによりデータ通信を行う通信機器であり、例えばスマートフォン、携帯電話、ＰＤＡ（Personal Digital Assistance）又はラップトップコンピュータ等である。以下、本実施形態における通信装置１はスマートフォンであるとして説明する。通信装置１が電波塔２からコンテンツを受信し、かつデータ通信又は音声通話を行っている場合、コンテンツ周波数帯域とデータ通信の通信帯域とが近接する場合がある。両者の帯域が近い場合には、送信されたデータ通信用の電波が通信装置１の地上波デジタル放送受信用のアンテナで受信されることにより、電波干渉が発生する。電波干渉により生じる現象は、地上波デジタル放送の画面への四角いモザイク状のブロックノイズ並びに映像及び音声の一時的な停止等である。これらの現象が発生した場合、ユーザは地上波デジタル放送を快適に視聴することが難しい。
【００１４】
そこで、通信装置１は通信装置１の位置を特定するための位置情報をサーバ４へ送信し、サーバ４から対応情報を受信する。通信装置１は対応情報を参照し、同一のコンテンツを受信可能であり、かつ干渉が起こり難いコンテンツ周波数帯域を選択する。このことにより、通信装置１は地上波デジタル放送とデータ通信の帯域の周波数を離すことで、双方を同時に快適に使用できるようになる。以下、本実施形態における情報処理システムの詳細について説明する。
【００１５】
図２は通信装置１のハードウェア群を示すブロック図である。図２に示す通信装置１は、制御部１１、記憶部１２、ＲＡＭ１３、入力部１４、表示部１５、通信部（送信部）１６及びＴＶ受信部（受信部）１７を備える。
【００１６】
制御部１１は、バスを介してハードウェア各部と接続されている。制御部１１は例えば一又は複数のＣＰＵ(Central Processing Unit)又はマルチコアＣＰＵ等を備える。制御部１１は、記憶部１２に記憶されたプログラム１２Ｐに従い、ハードウェアの各部の制御を行う。
【００１７】
記憶部１２は例えばＥＥＰＲＯＭ（Electrically Erasable Programmable Read-Only Memory）等の不揮発性メモリである。記憶部１２には制御部１１が処理を行う際に必要とする種々のデータ、番組表ＤＢ１２１、ＴＶ視聴アプリケーションソフトウェア及びプログラム１２Ｐを格納する。
【００１８】
ＲＡＭ１３は例えばＳＲＡＭ、ＤＲＡＭ又はフラッシュメモリ等である。ＲＡＭ１３は、記憶部としても機能し、制御部１１による各種プログラムの実行時に発生する種々のデータを一時的に記憶する。
【００１９】
入力部１４はタッチパネル等の入力デバイスであり、受け付けた操作情報を制御部１１へ出力する。表示部１５は制御部１１から出力された画像データを出力する。表示部１５は例えば液晶画面である。タッチパネルは表示部１５の表示画面を覆うように設けられている。なお、入力部１４はユーザの指示を受け付けるための各種ボタン、指示の確定を受け付けるエンターキー又はテンキー等でもよい。
【００２０】
通信部１６は、例えば無線ＬＡＮカード又は携帯電話用通信モジュール等であり、通信網Ｎにより例えば７００ＭＨｚ帯、８００ＭＨｚ帯、１．５ＧＨｚ帯および２ＧＨｚ帯等の複数の周波数帯域から選択された一又は複数の周波数帯域で各種情報を他の通信装置１及びサーバ４との間で送受信する。なお、本実施形態における通信部１６はＬＴＥの周波数帯域７００ＭＨｚにより通信を行っているものとする。
【００２１】
ＴＶ受信部１７は、検知部１７０、チャンネル選択部（選択部）１７１、ＴＶチューナ１７２、ＴＶアンテナ１７３及び測定部１７４を備える。ＴＶ受信部１７は、記憶部１２に記憶されたＴＶ視聴アプリケーションソフトウェアを制御部１１が実行することにより制御される。
【００２２】
検知部１７０は、ＴＶ受信部１７の起動の有無を検知する。ＴＶアンテナ１７３は、地上波デジタル放送の電波を受信する。検知部１７０が起動を検知した場合、測定部１７４は検知部１７０の起動を検知した後、電波の受信品質を測定する。受信品質とはたとえば、電波の強度又は強度をノイズで割った値等であり、単位はｄＢである。
【００２３】
ＴＶチューナ１７２はＴＶアンテナ１７３が受信した電波を復調する。チャンネル選択部１７１は回路を切り替えることによりコンテンツ周波数帯域を選択する。ＴＶ受信部１７は、チャンネル選択部１７１で選択したコンテンツ周波数帯域によりＴＶチューナ１７２が復調した地上波デジタル放送を受信する。
【００２４】
図３は番組表ＤＢ１２１に格納されているデータの一例を示す図である。図３に示すように番組表ＤＢ１２１は番組表に関するデータを記憶するデータベースである。番組表ＤＢ１２１はセルＩＤ列及び番組表列を備える。セルＩＤ列にはセルＩＤが記憶される。番組表列にはさらに１３ｃｈ列、１４ｃｈ列……５２ｃｈ列等のチャンネル列を備える。各チャンネル列には各チャンネルで受信可能なコンテンツが記憶される。例えば、１３ｃｈ列には番組Ａが記憶され、１４ｃｈ列及び５２ｃｈ列には番組Ｂが記憶される。制御部１１はサーバ４から受信した番組表（対応情報）をセルＩＤに対応づけて番組表ＤＢ１２１に記憶する。
【００２５】
図４はサーバ４のハードウェア群を示すブロック図である。図４に示すサーバ４は、制御部４１、記憶部４２、ＲＡＭ４３、入力部４４、表示部４５及び通信部（送信部、受信部）４６を備える。サーバ４の制御部４１及びＲＡＭ４３の作用及び動作は通信装置１の制御部１１及びＲＡＭ１３の作用及び動作と同様であり、簡潔のため記載を省略する。
【００２６】
記憶部４２は例えばＥＥＰＲＯＭ等の不揮発性メモリである。記憶部４２には制御部４１が処理を行う際に必要とする種々のデータ、カバー地域ＤＢ４２１、対応ＤＢ４２２及びプログラム４２Ｐを格納する。
【００２７】
入力部４４はマウス、キーボード又はタッチパネル等の入力デバイスであり、受け付けた操作情報を制御部４１へ出力する。表示部４５は液晶ディスプレイ又は有機ＥＬ（Electro Luminescence）ディスプレイ等である。
【００２８】
通信部４６は、例えばＬＡＮカード又は有線通信モジュール等であり、通信網Ｎを介して各種情報を通信装置１との間で送受信する。
【００２９】
図５Ａはカバー地域ＤＢ４２１に格納されているデータの一例を示す図である。図５Ｂはカバー地域を示す図である。図５Ｃは対応ＤＢ４２２に格納されているデータの一例を示す図である。図５Ａに示すようにカバー地域ＤＢ４２１は通信機器３がカバーするカバー地域に関するデータを記憶するデータベースである。すなわちカバー地域とは通信機器３がコンテンツを送信可能な地域である。カバー地域ＤＢ４２１はセルＩＤ列、カバー地域情報列、緯度列及び経度列を備える。セルＩＤ列にはセルＩＤが記憶される。カバー地域情報列にはカバー地域の名称が記憶される。カバー地域情報列には例えば、都道府県又は市町村名が記憶される。緯度列及び経度列にはカバー地域を示す緯度及び経度が記憶される。
【００３０】
例えば、緯度列がＩ−ａ−１〜Ｉ−ｂ−１であり、経度列がＫ−ａ−１〜Ｋ−ｂ−１である場合、図５Ｂに示すように緯度Ｉ−ａ−１からＩ−ｂ−１の範囲で経度がＫ−ａ−１からＫ−ｂ−１の範囲のカバー地域であることを示す。カバー地域ＤＢ４２１は予め記憶されている。なお、図５に示すカバー地域は一例であり、これに限られるものではない。
【００３１】
図５Ｃに示すように対応ＤＢ４２２は地域と番組表とを対応づける表である。対応ＤＢ４２２は地域列、緯度列、経度列及び番組表列を備える。地域列には地域の名称が記憶される。緯度列には緯度が記憶される。経度列には経度が記憶される。番組表列には番組表が記憶される。対応ＤＢ４２２は予め記憶されている。
【００３２】
具体的な情報処理システムの作用及び動作は以下の通りである。なお、本実施形態における通信装置１は予め通信機器３から報知されたセルＩＤを受信し、記憶しているものとする。制御部１１はＴＶ視聴アプリケーションソフトウェアを起動した後、通信部１６は通信機器３Ａから受信したセルＩＤ「００１」をサーバ４へ送信する。
【００３３】
サーバ４の通信部４６はセルＩＤ「００１」を通信装置１から受信し、制御部４１は受信したセルＩＤ「００１」に基づいてカバー地域「Ａ町」に通信装置１があると特定する。なお、制御部４１は複数のセルＩＤ及びセルＩＤに対応する通信機器３から受信する電波の信号強度等により通信装置１の位置を特定してもよい。
【００３４】
制御部４１は特定されたカバー地域「Ａ町」の番組表を抽出し、通信部４６は抽出した番組表を通信装置１へ送信する。通信部１６は番組表を受信し、制御部１１はユーザが視聴したい番組の選択を受け付ける。なお、制御部１１は番組を自動的に選択してもよい。例えば制御部１１は前回選択したチャンネルを記憶部１２に記憶しておき、記憶部１２に記憶したチャンネルを読み出すことで読み出したチャンネルの番組を選択する。あるいは制御部１１はランダムで番組を選択してもよい。ユーザが番組Ｂを選択した場合、制御部１１は受信した番組表内に番組Ｂを受信可能な複数の１４ｃｈと５２ｃｈとが番組Ｂを受信可能であると判断する。なお、本実施形態では番組表を受信したが、予め記憶部１２にセルＩＤと番組表とを対応づけたデータベースを記憶しておくこともできる。記憶部１２には番組表を記憶してからの記憶時間が予め設定されている。記憶部１２は所定の記憶時間が経過した場合、番組表を削除する。所定の記憶時間とは例えば２週間である。制御部１１はＴＶ視聴アプリケーションソフトウェアを起動した起動日時の時点でセルＩＤに対応する番組表があるか否かを判定する。制御部１１は番組表がないと判定した場合、通信部１６がセルＩＤに対応する番組表を受信するようにしてもよい。また、データベースは番組表を受信した場合、更新できるようにしてもよい。
【００３５】
制御部１１は受け付けた番組Ｂを受信可能な１４ｃｈ又は５２ｃｈが所定の周波数帯域付近であるか否かを判定する。所定の周波数帯域とは例えばＬＴＥの周波数帯域７００ＭＨｚ付近である。周波数帯域７００ＭＨｚ付近とは例えば、６８０ＭＨｚから７１０ＭＨｚであり、チャンネルでは４８〜５２ｃｈである。制御部１１は５２ｃｈが所定の周波数帯域付近であるため、チャンネル選択部１７１は所定の周波数帯域に対して所定の帯域以上離れた帯域を選択する。所定の帯域とは例えば２００ＭＨｚ〜３００ＭＨｚである。本例では７００ＭＨｚから２００ＭＨｚ〜３００ＭＨｚ離れた１３ｃｈ〜１６ｃｈが選択される。すなわちチャンネル選択部１７１は１４ｃｈを選択し、ＴＶ受信部１７は選択した１４ｃｈで番組Ｂを受信する。
【００３６】
図６〜７は情報処理システムの処理手順を示したフローチャートである。通信装置１の制御部１１はＴＶ視聴アプリケーションソフトウェアを起動する（ステップＳ１０）。通信部１６は受信したセルＩＤをサーバ４へ送信する（ステップＳ１１）。サーバ４の通信部４６はセルＩＤを通信装置１から受信する（ステップＳ１２）。
【００３７】
制御部４１はセルＩＤに基づいて通信装置１の位置を特定する（ステップＳ１３）。具体的には制御部４１はセルＩＤに対応づけられたカバー地域を特定する。
【００３８】
制御部４１は特定された位置に対応づけられた対応情報を抽出する（ステップＳ１４）。すなわち制御部４１はカバー地域に対応づけられた番組表を抽出する。通信部４６は抽出した対応情報を通信装置１へ送信する（ステップＳ１５）。
【００３９】
通信部１６は対応情報をサーバ４から受信する（ステップＳ１６）。制御部１１はユーザが視聴したいコンテンツの選択を受け付ける（ステップＳ１７）。制御部１１は同一のコンテンツを受信可能なコンテンツ周波数帯域が複数であるか否かを判定する（ステップＳ１８）。すなわち制御部１１は同一の番組を受信可能なチャンネルが複数であるか否かを判定する。制御部１１は同一のコンテンツを受信可能なコンテンツ周波数帯域が複数でないと判定した場合（ステップＳ１８：ＮＯ）、受信可能なコンテンツ周波数帯域で選択したコンテンツを電波塔２から受信し（ステップＳ１９）、処理を終了する。すなわち制御部１１は干渉の影響を受けやすいチャンネルの周波数帯域であってもその周波数帯域で番組を受信する。
【００４０】
制御部１１は同一のコンテンツを受信可能なコンテンツ周波数帯域が複数であると判定した場合（ステップＳ１８：ＹＥＳ）、通信帯域が所定の周波数帯域で通信部１６により通信しているか否かを判定する（ステップＳ２０）。制御部１１は所定の周波数帯域で通信部１６により通信していないと判定した場合（ステップＳ２０：ＮＯ）、測定部１７４は受け付けたコンテンツを受信可能なコンテンツ周波数帯域の受信品質を測定する（ステップＳ２１）。制御部１１は受け付けたコンテンツを受信可能なコンテンツ周波数帯域の内、受信品質が最も高いコンテンツ周波数帯域を選択する（ステップＳ２２）。ＴＶ受信部１７は選択したコンテンツ周波数帯域でコンテンツを受信し（ステップＳ２３）、処理を終了する。
【００４１】
制御部１１は所定の周波数帯域で通信部１６により通信していると判定した場合（ステップＳ２０：ＹＥＳ）、受け付けたコンテンツを受信可能なコンテンツ周波数帯域が所定の周波数帯域付近であるか否かを判定する（ステップＳ２４）。制御部１１は受け付けたコンテンツを受信可能なコンテンツ周波数帯域が所定の周波数帯域付近でないと判定した場合（ステップＳ２４：ＮＯ）、コンテンツ周波数帯域の選択をユーザから入力部１４で受け付ける（ステップＳ２５）。ＴＶ受信部１７は、受け付けたコンテンツ周波数帯域でコンテンツを受信し（ステップＳ２６）、処理を終了する。
【００４２】
制御部１１が受け付けたコンテンツを受信可能なコンテンツ周波数帯域が所定の周波数帯域付近であると判定した場合（ステップＳ２４：ＹＥＳ）、複数のコンテンツ周波数帯域の内、所定の周波数帯域に対して所定の帯域以上離れた帯域を選択する（ステップＳ２７）。ＴＶ受信部１７は選択したコンテンツ周波数帯域でコンテンツを受信し（ステップＳ２８）、処理を終了する。なお、ＴＶ受信部１７はコンテンツ周波数帯域の受信品質を測定して、受信品質が良いコンテンツ周波数帯域でコンテンツを受信してもよい。
【００４３】
また以下の処理を行ってもよい。制御部１１は所定の周波数帯域で通信部１６により通信していると判定した場合、所定のメッセージを表示部１５に表示してもよい。所定のメッセージとは例えば「受信感度が悪くなるため、１３ｃｈ〜１６ｃｈに変更しますか？（ＹＥＳ／ＮＯ）」又は「受信感度が悪くなるため、１３ｃｈ〜１６ｃｈに変更することをお勧めします」等である。次にユーザが入力部１４で選択した結果に基づいて、制御部１１はコンテンツ周波数帯域を選択する。例えば、「１３ｃｈ〜１６ｃｈに変更しますか？（ＹＥＳ／ＮＯ）」が表示された場合、ユーザが入力部１４でＹＥＳを選択したとき、制御部１１は選択候補である１３ｃｈ〜１６ｃｈを表示してユーザにいずれかの選択を促す表示を行い、ユーザによる選択に基づきコンテンツ周波数帯域を選択する。あるいはユーザが入力部１４でＮＯを選択した場合、制御部１１はコンテンツ周波数帯域の変更を行わないと判定する。
【００４４】
制御部１１はコンテンツ周波数帯域の選択を受け付けると判定した場合、処理をステップＳ２５に移す。すなわちユーザが入力部１４により手動でコンテンツ周波数帯域の選択を行う。制御部１１はコンテンツ周波数帯域の選択を受け付けないと判定した場合、処理をステップＳ２４に移す。すなわち制御部１１が自動でコンテンツ周波数帯域の選択を行う。
【００４５】
一態様によれば、チャンネル選択部１７１は所定の周波数帯域に対して所定の帯域以上離れた帯域を選択するため、受信品質が高い周波数帯を探す手順を除くことができ、受信品質が高い可能性がある周波数帯域の電波を選択することができる。なお本実施形態ではセルＩＤを位置情報として用いたが、ＧＰＳ（Global Positioning System）情報を用いてもよい。
【００４６】
実施の形態２
実施の形態２は、受信品質が高いコンテンツ周波数帯域を選択する実施形態に関する。具体的な情報処理システムの作用及び動作は以下の通りである。以下、特に説明する構成、作用以外の構成及び作用は実施の形態１と同等であり、簡潔のため記載を省略する。
【００４７】
実施の形態１と同様の操作をした後、制御部１１は５２ｃｈを選択する。ＴＶ受信部１７は選択した５２ｃｈの電波を受信する。５２ｃｈの電波はＬＴＥの周波数帯域７００ＭＨｚと干渉を起こし、５２ｃｈの電波の受信品質が１ｄＢに低下する。測定部１７４は５２ｃｈの受信品質１ｄＢを測定する。
【００４８】
制御部１１は選択したコンテンツ周波数帯域の受信品質が所定の閾値以下であると判定する。所定の閾値とは任意の値であり、本実施形態では１ｄＢである。この受信品質ではコンテンツを受信することが難しいため、制御部１１は１４ｃｈを選択する。ＴＶ受信部１７は１４ｃｈの電波を受信する。測定部１７４は受信品質７ｄＢを測定する。制御部１１は選択した電波の受信品質が所定の閾値以下でないと判定し、ＴＶ受信部１７は選択した１４ｃｈで番組Ｂを受信し、処理を終了する。
【００４９】
図８は情報処理システムを示すフローチャートである。ステップＳ１０〜２０の処理は上述の実施の形態１に係る情報処理システムと同様であるので、簡潔のため説明を省略する。ステップＳ２０がＹＥＳだった場合、制御部１１は受信可能な複数のコンテンツ周波数帯域の内、一のコンテンツ周波数帯域を選択する（ステップＳ３１）。ＴＶ受信部１７は選択したコンテンツ周波数帯域の電波を受信する（ステップＳ３２）。測定部１７４は選択したコンテンツ周波数帯域の受信品質を測定する（ステップＳ３３）。
【００５０】
制御部１１は選択したコンテンツ周波数帯域の受信品質が所定の閾値以下であるか否かを判定する（ステップＳ３４）。なお、所定の閾値は７００ＭＨｚ帯に近い場合、高く設定され、７００ＭＨｚ帯から遠い場合、低く設定してもよい。制御部１１は選択したコンテンツ周波数帯域の受信品質が所定の閾値以下であると判定した場合（ステップＳ３４：ＹＥＳ）、他のコンテンツ周波数帯域を選択し（ステップＳ３５）、処理をステップＳ３２に移し、繰り返す。すなわち制御部１１は測定部１７４が測定した受信品質に基づきコンテンツ周波数帯域を選択する。制御部１１は選択した周波数帯域の受信品質が所定の閾値以下でないと判定した場合（ステップＳ３４：ＮＯ）、ＴＶ受信部１７が選択したコンテンツ周波数帯域でコンテンツを受信し（ステップＳ３６）、処理を終了する。
【００５１】
一態様によれば、制御部１１は受信品質に基づいて受信品質が高いコンテンツ周波数帯域を選択することで、受信した電波から容易に番組を取得できる。
【００５２】
なお、測定部１７４が予め全ての受信可能な周波数帯域の受信品質を測定し、視聴したいコンテンツのチャンネルが所定の周波数帯域付近にある場合、制御部１１は予め測定した最も受信品質が高い電波を選択するようにしてもよい。
【００５３】
実施の形態３
実施の形態３は、受信したコンテンツ周波数帯域が閾値以下であった場合、セルＩＤを送信する実施形態に関する。具体的な情報処理システムの作用及び動作は以下の通りである。以下、特に説明する構成、作用以外の構成及び作用は実施の形態１と同等であり、簡潔のため記載を省略する。
【００５４】
ＴＶ受信部１７は選択した１４ｃｈで番組Ｂを受信した後、１４ｃｈの電波を受信し、測定部１７４は選択した１４ｃｈの受信品質を測定する。なお、本実施形態では測定部１７４は所定の時間間隔で１４ｃｈの受信品質を測定するが、ユーザが番組を選択した場合に対象となるチャンネルの受信品質を測定してもよい。
【００５５】
制御部１１は１４ｃｈの受信品質が所定の閾値以下であるか否かを判定する。所定の閾値とは任意の値であり、本実施形態では１ｄＢである。制御部１１は１４ｃｈの受信品質が所定の閾値以下であると判定した場合、受信しているセルＩＤが変化している可能性がある。例えば通信部１６がセルＩＤ「００２」を受信していた場合、受信したセルＩＤ「００２」をもう一度サーバ４に送信することで変化したセルＩＤ「００２」のカバー地域「Ｂ町」に対応する番組表を受信し、受信した番組表に基づいて１３ｃｈを選択し、実施の形態１と同様の処理を行う。
【００５６】
図９は情報処理システムを示すフローチャートである。ステップＳ１０〜２８の処理は上述の実施の形態１に係る情報処理システムと同様であるので、簡潔のため説明を省略する。ステップＳ２８の処理を終了した後、ＴＶ受信部１７は選択したコンテンツ周波数帯域の電波を受信する（ステップＳ４１）。測定部１７４は選択したコンテンツ周波数帯域の受信品質を測定する（ステップＳ４２）。
【００５７】
制御部１１は選択したコンテンツ周波数帯域の受信品質が所定の閾値以下であるか否かを判定する（ステップＳ４３）。制御部１１は選択したコンテンツ周波数帯域の受信品質が所定の閾値以下であると判定した場合（ステップＳ４３：ＹＥＳ）、処理をステップＳ１１に移し、通信部１６はセルＩＤをもう一度サーバ４に送信することで対応情報を受信する。制御部１１は選択した周波数帯域の受信品質が所定の閾値以下でないと判定した場合（ステップＳ４３：ＮＯ）、処理をステップＳ４１に移し、受信品質が所定の閾値以下になるまで処理を繰り返す。
【００５８】
一態様によれば、ＴＶ受信部１７は受信品質に基づいて対応情報の受信を行うため、受信品質が低い場合、即座に受信品質が高い可能性がある周波数帯域の電波を選択することができる。
【００５９】
実施の形態４
実施の形態４は、受信するセルＩＤが変化した場合、対応情報を受信する実施形態に関する。以下、特に説明する構成、作用以外の構成及び作用は実施の形態１と同等であり、簡潔のため記載を省略する。
【００６０】
ＴＶ受信部１７は選択した１４ｃｈで番組Ｂを受信した後、通信部１６はセルＩＤ「００２」を通信機器３から受信する。制御部１１は番組表ＤＢ１２１に記憶されたセルＩＤ「００１」と異なるセルＩＤ「００２」を受信したと判定し、セルＩＤ「００２」を番組表ＤＢ１２１に記憶する。その後、通信部１６は受信したセルＩＤ「００２」をもう一度サーバ４に送信することで変化したセルＩＤ「００２」のカバー地域「Ｂ町」に対応する番組表を受信し、受信した番組表に基づいて１３ｃｈを選択し、実施の形態１と同様の処理を行う。
【００６１】
図１０は情報処理システムを示すフローチャートである。ステップＳ１１〜２８の処理は上述の実施の形態１に係る情報処理システムと同様であるので、簡潔のため説明を省略する。通信部１６はセルＩＤを通信機器３から受信する（ステップＳ５１）。制御部１１は番組表ＤＢ１２１に記憶されたセルＩＤと異なるセルＩＤを受信したか否かを判定する（ステップＳ５２）。制御部１１は番組表ＤＢ１２１に記憶されたセルＩＤと異なるセルＩＤを受信しなかったと判定した場合（ステップＳ５２：ＮＯ）、処理をステップＳ５１に移し、処理を繰り返す。制御部１１は番組表ＤＢ１２１に記憶されたセルＩＤと異なるセルＩＤを受信したと判定した場合（ステップＳ５２：ＹＥＳ）、番組表ＤＢ１２１に受信したセルＩＤを記憶し（ステップＳ５３）、処理をステップＳ１１に移す。
【００６２】
一態様によれば、通信部１６はセルＩＤの変化に基づいて対応情報の受信を行うことで通信装置１の受信地域の変化が判断できるため、容易に受信品質が高い可能性がある周波数帯域の電波を選択することができる。なお、本実施形態ではセルＩＤの変化に基づいて位置情報の変化を判定したが、ＧＰＳ情報を位置情報として受信することで位置情報が示す位置が所定の範囲内であるか否かを判定することにより位置情報の変化を判定してもよい。
【００６３】
また番組表ＤＢ１２１には番組表に対応する複数のセルＩＤが記憶されてもよい。その場合、受信したセルＩＤが番組表ＤＢ１２１に記憶されたセルＩＤであった場合、通信部１６は対応情報を受信しないようにしてもよい。
【００６４】
実施の形態５
実施の形態５は、複数のＴＶ受信部１７を有する実施形態に関する。図１１は通信装置１のハードウェア群を示すブロック図である。以下、特に説明する構成、作用以外の構成及び作用は実施の形態２と同等であり、簡潔のため記載を省略する。通信装置１のＴＶ受信部１７は複数のＴＶ受信部１７Ａ及び１７Ｂからなる。ＴＶ受信部１７Ａ及び１７Ｂの夫々は所定のコンテンツ周波数帯域を受信する。例えば、ＴＶ受信部１７Ａは５２ｃｈを受信し、ＴＶ受信部１７Ｂは１４ｃｈを受信する。
【００６５】
通信部１６が番組表を受信した後、ＴＶ受信部１７Ａ及び１７Ｂは５２ｃｈ及び１４ｃｈを受信する。ＴＶ受信部１７Ａの測定部１７４は５２ｃｈの受信品質１ｄＢを測定する。ＴＶ受信部１７Ｂの測定部１７４は１４ｃｈの受信品質７ｄＢを測定する。制御部１１は最も受信品質が高い１４ｃｈを選択する。ＴＶ受信部１７Ａは１４ｃｈでコンテンツＡを受信し、処理を終了する。
【００６６】
図１２は情報処理システムを示すフローチャートである。ステップＳ１１〜２０の処理は上述の実施の形態２に係る情報処理システムと同様であるので、簡潔のため説明を省略する。制御部１１はステップＳ２０がＹＥＳだった場合、ＴＶ受信部１７Ａ及び１７Ｂは複数のコンテンツ周波数帯域で電波を受信する（ステップＳ７１）。ＴＶ受信部１７Ａ及び１７Ｂの測定部１７４は複数のコンテンツ周波数帯域の受信品質を測定する（ステップＳ７２）。制御部１１は最も受信品質が高いコンテンツ周波数帯域を選択する（ステップＳ７３）。ＴＶ受信部１７Ａ又は１７Ｂは選択したコンテンツ周波数帯域でコンテンツを受信し（ステップＳ７４）、処理を終了する。
【００６７】
一態様によれば、通信装置１は複数のＴＶ受信部を備えるため、複数のコンテンツ周波数帯域の電波の干渉を防止することで受信した電波から容易にコンテンツを取得できる。
【００６８】
実施の形態６
実施の形態６は、移動方向に基づいて番組表を受信する実施形態に関する。以下、特に説明する構成、作用以外の構成及び作用は実施の形態１と同等であり、簡潔のため記載を省略する。制御部１１は計測部（図示せず）が複数のセルＩＤの受信品質を計測し、計測した受信品質により移動方向「東」を算出する。なお、ＧＰＳ情報に基づいて移動方向を算出してもよい。通信部１６は移動方向「東」及びセルＩＤ「００１」をサーバ４へ送信する。通信部４６は移動方向「東」及びセルＩＤ「００１」を受信する。制御部４１はセルＩＤに基づいてカバー地域「Ａ町」を特定する。制御部４１は緯度及び経度からカバー地域「Ａ町」の東にカバー地域「Ｂ町」があるため、カバー地域「Ｂ町」の番組表を抽出する。
【００６９】
図１３は情報処理システムを示すフローチャートである。ステップＳ１２〜１４以外の処理は上述の実施の形態１に係る情報処理システムと同様であるので、簡潔のため説明を省略する。制御部１１がステップＳ１１の処理を終了した後、制御部１１は複数のセルＩＤに基づいて移動方向を算出する（ステップＳ８１）。通信部１６は移動方向及びセルＩＤをサーバ４へ送信する（ステップＳ８２）。通信部４６は移動方向及びセルＩＤを受信する（ステップＳ８３）。制御部４１はセルＩＤに基づいて位置を特定する（ステップＳ８４）。制御部４１は移動方向及び位置に基づいて対応情報を抽出し（ステップＳ８５）、処理をステップＳ１５に移す。
【００７０】
一態様によれば、移動方向に存在するカバー地域の番組表を抽出することで番組表の先取りを行うことができる。
【００７１】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。また、各実施の形態は、処理内容を矛盾させない範囲で適宜組み合わせることが可能である。
【符号の説明】
【００７２】
１  通信装置
１２  記憶部
１２Ｐ  プログラム
１６  通信部（送信部）
１７  ＴＶ受信部（受信部）
１７０  検知部
１７１  チャンネル選択部（選択部）
２  電波塔
３  通信機器
４  サーバ（サーバコンピュータ）
４６  通信部（送信部、受信部）
【図１】
0006397360.tif 000002
【図２】
0006397360.tif 000003
【図３】
0006397360.tif 000004
【図４】
0006397360.tif 000005
【図５】
0006397360.tif 000006
【図６】
0006397360.tif 000007
【図７】
0006397360.tif 000008
【図８】
0006397360.tif 000009
【図９】
0006397360.tif 000010
【図１０】
0006397360.tif 000011
【図１１】
0006397360.tif 000012
【図１２】
0006397360.tif 000013
【図１３】
0006397360.tif 000014